(57)【特許請求の範囲】
【請求項１】
装填口を有し複数の光ディスクが格納されるマガジンと、
前記光ディスクを配置するトレイによって塞がれる挿通部を有し前記光ディスクに対し
てデータを読み書きする光ディスクドライブと、
前記マガジンと前記光ディスクドライブの間で前記光ディスクを移動させる搬送機構と
、
複数の隔壁で構成され、外部と内部を連通し前記マガジンが装着される搭載部、前記隔
壁どうしの間を塞ぐシール部材、前記搭載部を塞ぐシャッター、を有し、前記マガジンが
前記搭載部に装着されている場合に少なくとも前記装填口と前記挿通部と前記搬送機構と
を外部から隔離する内殻と、を備えた情報処理装置であって、
前記シャッターは、前記搭載部の内壁に前記マガジンの挿入方向に少なくとも２個設置
され、前記マガジンを挿入する方向に回動することで開かれる情報処理装置。
【請求項２】
請求項１に記載された情報処理装置において、
前記シャッターは、前記搭載部に装着された状態の前記マガジンの前記装填口からこの
シャッターの設置位置までの距離をＬとし、このシャッターの回動半径をｒとすると、ｒ
＜Ｌの関係を有するように設けられる。
【請求項３】
請求項１または請求項２に記載された情報処理装置において、
前記シャッターは、片開きである。
【請求項４】
請求項１または請求項２に記載された情報処理装置において、
前記シャッターは、両開きである。
【発明の詳細な説明】
【技術分野】
【０００１】
本発明の実施形態は、複数枚の光ディスクが装填されたマガジンから光ディスクを取り出して光ディスクドライブに対し自動で配置及び交換する機能を有した情報処理装置に関する。
【背景技術】
【０００２】
アクセス頻度の高いデータから低いデータまで多数のデータを保存及び提供する情報処理装置がある。すべてのデータが常に必要ではない。したがって、この情報処理装置において、アクセス頻度の高いデータをハードディスク装置に置き、アクセス頻度の低いデータや重要度の高いデータなどを定期的に光ディスクにアーカイブする。アーカイブしたデータが必要な場合、情報処理装置は、そのデータが保存されている光ディスクを摘出して読み取り装置にセットすることで、そのデータにアクセスできるようにする。
【０００３】
このような情報処理装置は、情報ライブラリあるいはアーカイブチェンジャ装置と呼ばれ、複数枚の光ディスクを格納するマガジンと、光ディスクに対してデータを読み書きできる光ディスクドライブと、マガジンと光ディスクドライブの間で光ディスクの移動を行う搬送機構とを備える。情報処理装置は、マガジンを交換することによって、より多くのデータを利用及び保存できる。
【先行技術文献】
【特許文献】
【０００４】
【特許文献１】特開平５−７４１２７号公報
【発明の概要】
【発明が解決しようとする課題】
【０００５】
光ディスクは、大気中に漂う塵や埃が付着すると、データの記録および読み出しが困難になることがある。したがって、光ディスクドライブの光学系や光ディスクそのものを定期的にクリーニングする必要が生じる。情報処理装置をメンテナンスする一環として、光ディスクや光学系を作業員がクリーニングすることがある。また、光ディスクや光学系のクリーニングをそれぞれ自動で行うための装置が開発されている。
【０００６】
しかし、自動でクリーニングできる範囲は限られている。また、マガジンを交換する際に開放された部分から塵や埃が侵入する可能性がある。クリーニングが必要である限り、光ディスクや光学系の周囲に塵や埃が存在していることに変わりはない。クリーニングが行われている間、情報処理装置は、すべてまたは一部のサービスを提供できなくなる。
【０００７】
そこで、本発明は、光ディスクを取り扱う領域に塵や埃が侵入しにくい構造を有した情報処理装置を提供することを目的とする。
【課題を解決するための手段】
【０００８】
一実施形態の情報処理装置は、マガジンと光ディスクドライブと搬送機構と内殻と給気
装置とを備える。マガジンは、装填口を有し、複数の光ディスクが格納される。光ディス
クドライブは、光ディスクを配置するトレイによって塞がれる挿通部を有し、光ディスク
に対してデータを読み書きする。搬送機構は、マガジンと光ディスクドライブの間で光デ
ィスクを移動させる。内殻は、複数の隔壁で構成され、外部と内部を連通しマガジンが装
着される搭載部と、隔壁どうしの間を塞ぐシール部材と、搭載部を塞ぐシャッターとを有
する。この内殻は、マガジンが搭載部に装着された場合に少なくとも装填口と挿通部と搬
送機構とを外部から隔離する。シャッターは、搭載部の内壁にマガジンの挿入方向に少な
くとも２個設置され、マガジンを挿入する方向に回動することで開かれる。
【図面の簡単な説明】
【０００９】
【図１】第１の実施形態の情報処理装置を示す分解斜視図。
【図２】図１に示した情報処理装置の側面図。
【図３】図２中のＦ３−Ｆ３線に沿う情報処理装置の断面図。
【図４】図３中のＦ４−Ｆ４線に沿う情報処理装置の筐体の断面図。
【図５】図３に示した下部隔壁の配線用の挿通孔の斜視図。
【図６】図５に示した挿通孔の断面図。
【図７】図２に示した情報処理装置のマガジン搭載部の断面図。
【図８】図７に示したマガジン搭載部の断面図。
【図９】図８に示したマガジン搭載部の断面図。
【図１０】第２の実施形態の情報処理装置のマガジン搭載部の断面図。
【図１１】図１０に示したマガジン搭載部の断面図。
【図１２】第３の実施形態の情報処理装置のマガジン搭載部の断面図。
【図１３】第４の実施形態の情報処理装置をマガジンの挿入側から見た斜視図。
【発明を実施するための形態】
【００１０】
第１の実施形態の情報処理装置１について、図１から図９を参照して説明する。図１における情報処理装置１は、筐体２の一部を分解して示す。この情報処理装置１は、マガジン３と光ディスクドライブ４と搬送機構５と内殻２０と給気装置６とを備える。筐体２は、底パネル２１とフレーム２２と上部隔壁２３と天板２４と第１の隔壁２５とフェイスパネル２６と第２の隔壁２７と下部隔壁２８と一対の側部隔壁２９とを含む。この情報処理装置１において、内殻２０は、筐体２の内部に形成され、筐体２の一部を兼ねる複数の隔壁によって構成されている。
【００１１】
本実施形態において、内殻２０は、図１及び図２に示すように、フレーム２２と第１の隔壁２５と第２の隔壁２７と下部隔壁２８と上部隔壁２３と一対の側部隔壁２９とで構成される。第１の隔壁２５は、マガジン３が装着される搭載部２５１を有している。図１，図２及び図７に示すように、本実施形態の情報処理装置１の場合、搭載部２５１は、４段に設けられている。図１及び図２では、最上段の搭載部２５１に装着されたマガジン３が少し引き出された状態である。
【００１２】
第２の隔壁２７は、図２に示すように第１の隔壁２５と平行に筐体２のほぼ中央部に設置されている。この第２の隔壁２７は、第１の隔壁２５に対して搬送機構５を隔てて配置され、光ディスクドライブ４の挿通部４２が図３に示すように内殻２０の外側から固定されている。下部隔壁２８は、図２に示すように搬送機構５を支持しており、第１の隔壁２５と第２の隔壁２７とを連結している。上部隔壁２３は、搬送機構５の上端を保持しており、第１の隔壁２５と第２の隔壁２７とを連結している。
【００１３】
側部隔壁２９は、図１に示すように、底パネル２１とフレーム２２と上部隔壁２３と第１の隔壁２５と第２の隔壁２７と下部隔壁２８とに接合される。この側部隔壁２９において、第１の隔壁２５と第２の隔壁２７と下部隔壁２８と上部隔壁２３とで囲われる範囲は、内殻２０の一部を兼ねる。第１の実施形態において、側部隔壁２９は、情報処理装置１のメンテナンスの際に解放されることがある。したがって、側部隔壁２９は、第１の隔壁２５と第２の隔壁２７と下部隔壁２８と上部隔壁２３の縁に対して、図１，図３及び図４に示すように、ガスケット７１を介して接合される。
【００１４】
ガスケット７１は、シール部材の一形態であって、内殻２０の外部と内部を連通する部分を塞ぐシール機構に含まれる。ガスケット７１は、上部隔壁２３や第１の隔壁２５の縁に取り付けられていてもよいし、側部隔壁２９側に取り付けられていてもよい。ガスケット７１は、柔軟性を有した合成樹脂である他に、スポンジ状のものや、リップ付のパッキンなどのシール部材であってもよい。ここで、内殻２０の「外部」とは、内殻２０を構成する隔壁（第１の隔壁２５、第２の隔壁２７、上部隔壁２３、下部隔壁２８、側部隔壁２９）よりも外側を意味する。つまり、情報処理装置１の筐体２の内側であっても内殻２０に含まれない範囲は、情報処理装置１の筐体２の外側も含めて外部である。
【００１５】
第１の隔壁２５および第２の隔壁２７と上部隔壁２３および下部隔壁２８とのそれぞれの接合部は、平板とフランジとを当接させたように、密着している。したがって、本実施形態において、これらの接合部にシール部材を取り付けていないが、より高い密閉性が内殻２０に求められる場合、接合部の隅にシール部材としてコーキング材を充填する。また、内殻２０の隔壁どうしを接合する部分は、マグネットテープによって密封されてもよい。シール部材としてマグネットテープを利用することで、情報処理装置１をメンテナンスするときに繰り返し利用できる。
【００１６】
給気装置６は、内殻２０の外部よりも粉塵含有率が少ない気体を内殻２０の内部に供給する。第１の実施形態では、給気装置６は、内殻２０に開けられた入口６１と、この入口６１から内殻２０の内部に外気を取り込むファン６２と、外気に含まれる粉塵を除去するためのフィルタ６３とを少なくとも含む。入口６１は、図１及び図３に示すように、側部隔壁２９に開けられている。ファン６２は、内殻２０の内部に配置される。この実施形態の場合、入口６１に対応させて下部隔壁２８に固定されたブラケットに取り付けられている。
【００１７】
フィルタ６３は、図３に示すように、ファン６２の送気方向の上流側及び下流側の両側に装着されている。入口６１から流入されるすべての外気は、これらのフィルタ６３を通過するように構成されている。フィルタ６３は、内殻２０の内部の環境として許容される粉塵含有率に外気を濾過する能力を有していれば、ファン６２の上流側または下流側の一方に配置されていてもよい。フィルタ６３が入口６１とファン６２の間に装着されない場合、側部隔壁２９とファン６２の間は、ダクトで連結される。フィルタ６３には、例えば、ヘパ（ＨＥＰＡ）フィルタが採用される。図３において、ファン６２は、軸流ファンであるが、ファン６２を設置する位置や周辺部品の配置、ファン６２に必要な送気流量などに応じて、適したものが採用される。したがって、フィルタ６３もまたファン６２に対応してその上流または下流に配置されればよい。
【００１８】
内殻２０は、ガスケット７１などを含むシール機構によって封止されるが、気圧変動や温度変化が生じたときに、わずかな隙間から粉塵を吸い込まないとは言い切れない。したがって、給気装置６は、このような隙間から内殻２０の内部に粉塵を侵入させないために、情報処理装置１の主電源が入れられている間中ずっと、ファン６２を作動させて空気を取り入れることによって、内殻２０の内部の圧力を外部の圧力よりもわずかに高い状態に保ち続ける。
【００１９】
内殻２０の内部の圧力が一定の値以上に保たれていることを担保するために、給気装置６は、図１及び図２に示すように、第２の隔壁２７に固定されたゲージ８１を含む。ゲージ８１は、圧力センサであって、例えば、ピエゾ抵抗効果や静電容量変化を検出する半導体素子や、歪ゲージなどを利用することができる。ゲージ８１によって検出された圧力を基に、ファン６２の出力を制御し、内殻２０の内部と外部の圧力差が一定の値に保たれるようにする。ゲージ８１を取り付ける位置は、第２の隔壁２７に限られない。
【００２０】
情報処理装置１をメンテナンスするために側部隔壁２９を取り外して内殻２０を開放した場合など、内殻２０の内部に入った粉塵を積極的に除去するために、第１の実施形態において給気装置６は、内殻２０に開けられた出口６４と、この出口６４に装着される逆止弁６５とを含む。図３に示すように出口６４は、下部隔壁２８に開けられている。逆止弁６５は、内殻２０の外部から内部に向かう気体の流れを遮断するように構成されている。逆止弁６５として、ダイヤフラム弁を採用すると構造が簡単で嵩張らない。
【００２１】
給気装置６は、内殻２０の内部が設定された粉塵含有率以下になっていることを担保するために、ダストカウンタを構成に含んでもよい。ダストカウンタは、出口６４の近傍に配置してもよいし、内殻２０の空間的に淀みやすい部分に配置してもよい。また、内殻２０の内部の複数か所からサンプリングするように、ダストカウンタの検出口を複数設け、順番に切り替えて計測してもよいし、内殻２０の中を移動する搬送機構５に検出口を配置してもよい。
【００２２】
搬送機構５は、図１及び図２に示すようにマガジン３と光ディスクドライブ４の間に配置される。搬送機構５は、マガジン３に格納された光ディスクを光ディスクドライブ４のトレイ４１に乗せたり、光ディスクドライブ４で利用し終わった光ディスクをマガジン３に戻したりする動作を行う。搬送機構５は、ピック・アンド・プレース機構５１と、光ディスクが格納されているマガジン３の位置及び光ディスクドライブ４の位置に合わせてこのピック・アンド・プレース機構５１を移動させるリフト機構５２を備えている。ピック・アンド・プレース機構５１を正確に配置するため、図２に示すように上部隔壁２３および下部隔壁２８には測距センサ５３が設置されている。リフト機構５２は、この測距センサ５３に基づく計測値およびリフト機構５２のボールネジ５４の回転量を基にピック・アンド・プレース機構５１を精密に位置決めする。
【００２３】
図３，図５及び図６に示すように、内殻２０の内部に配置される搬送機構５や給気装置６に接続される配線Ｗを通すために、下部隔壁２８は、挿通孔２８１を有している。挿通孔２８１には配線Ｗの被覆を保護するためのガイド２８２が装着される。挿通孔２８１は、内殻２０の外部と内部を連通する部分に相当する。そこで、第１の実施形態では図６に示すようにシール機構として熱収縮チューブ７２を、内殻２０の外部へ突出したガイド２８２に装着する。熱収縮チューブ７２は、ガイド２８２に配線Ｗが通された後、ドライヤなどの温風に晒されることで、図６に示すように縮む。これによりガイド２８２と配線Ｗとの隙間が塞がれる。粉塵を多く含む気体が内殻２０に入り込まない機能を有していればよいので、隙間を塞ぐために、熱収縮チューブ７２を用いる代わりにスポンジやゴム栓を詰める、あるいはコーキング材を充填するなど、シール部材で塞いでもよい。
【００２４】
マガジン３は、図７に示すようにトレイ３２に乗せられた光ディスクを出し入れするための装填口３１を有し、複数の光ディスクを格納するケースである。第１の実施形態において、マガジン３は、第１の隔壁２５に設けられた搭載部２５１の数だけ装着することができる。マガジン３は、必要に応じて、別の光ディスクが格納されたマガジン３に交換することができる。したがって、マガジン３は、搭載部２５１の数よりも多く用意され、別途保管されていてもよい。
【００２５】
光ディスクドライブ４は、図１及び図３に示すように、光ディスクが配置されるトレイ４１を有した一般的なものであり、光ディスクに対してデータを読み書きする。光ディスクドライブ４は、トレイ４１が収納された状態で、トレイ４１によって塞がれる挿通部４２を有している。この挿通部４２が開放される場合、つまりトレイ４１が引き出された場合、光ディスクドライブ４は、内殻２０の内部の環境に晒される。光ディスクドライブ４の光学系は、トレイ４１に組み込まれていてもよいし、光ディスクドライブ４のケーシングの内側に組み込まれていてもよい。
【００２６】
第１の実施形態の情報処理装置１において、搬送機構５によって内殻２０の内部でマガジン３と光ディスクドライブ４との間を移動される光ディスク、および、光ディスクを光ディスクドライブ４のトレイ４１に乗せる際に内殻２０の内部に晒される光ディスクドライブ４の光学系に粉塵が付着することを防止するために、内殻２０は、少なくとも光ディスクが出し入れされるマガジン３の装填口３１、光ディスクドライブ４の挿通部４２、搬送機構５を外部から隔離するように構成される。
【００２７】
マガジン３が差し込まれる搭載部２５１について、さらに図７から図９を参照して説明する。図７は、４段に形成された搭載部２５１およびそれらのすべてにマガジン３が装着された状態を示す。図８は、内殻２０の第１の隔壁２５に設けられた複数の搭載部２５１のうち、中段の１つをその上段および下段の一部とともに示す。図９は、図８に示した搭載部２５１にマガジン３を挿入または抜脱する状態を示す。図８および図９において、中央部に図示した中段の搭載部２５１の上段および下段の搭載部２５１には既にマガジン３が装着されている。
【００２８】
第１の実施形態の情報処理装置１において、内殻２０は、マガジン３が抜脱された場合に内殻２０の外部と内部を連通する部分となる搭載部２５１を塞ぐためのシャッター７３を有している。シャッター７３は、片開きであって、搭載部２５１の内幅いっぱいに設置される。シャッター７３は、図７および図８に示すように、搭載部２５１の内壁に支持されており、マガジン３を挿入する方向に回動することで開かれる。このシャッター７３は、内殻２０の外部と内部を連通する部分を塞ぐシール機構に含まれる。
【００２９】
マガジン３が挿入されて押し開かれたシャッター７３が搬送機構５のピック・アンド・プレース機構５１と干渉しないように、シャッター７３は、搭載部２５１に装着された状態のマガジン３の装填口３１からこのシャッター７３の回動半径ｒ以上離れた位置Ｌの内壁に支持されている。つまりｒ＜Ｌの関係を有している。図７から図９において、シャッター７３は、内殻２０の内部側に延びた搭載部２５１の内側端２５２を越えないように構成されている。ｒ＜Ｌの関係が満足されていれば、つまりマガジン３の装填口３１を越えなければ、シャッター７３の回動端が内側端２５２を越えてもよい。
【００３０】
シャッター７３が支持される側の搭載部２５１の内壁は、マガジン３が挿入されたときにシャッター７３を待避させるための凹部２５３を有している。第１の実施形態においてシャッター７３は、上側の内壁から吊り下がるように設けられている。マガジン３が搭載部２５１に挿入された状態で、マガジン３と搭載部２５１の間を通過する気流によってシャッター７３がばたつかないように、図７や図８に示すように、凹部２５３とシャッター７３の間に弾性部材２５４を取り付ける。弾性部材２５４は、シャッター７３をマガジン３に押し当てるように作用する。弾性部材２５４に柔軟なゴムやスポンジを採用することで、シャッター７３と凹部２５３の間の密閉性が確保される。
【００３１】
弾性部材２５４を設ける代わりに、シャッター７３を可撓性部材で作り、マガジン３と凹部２５３の間の寸法よりも少し大きく湾曲した形にシャッター７３を形成してもよい。マガジン３が搭載部２５１に装着されると、シャッター７３の中間部分が凹部２５３に接触するとともに、シャッター７３の回動端がマガジン３に接触する。その結果、シャッター７３は、それ自身の弾性によって、マガジン３と凹部２５３との間を塞ぐ。
【００３２】
マガジン３が抜き取られた場合、図８の中段に示すように、シャッター７３は自重で閉じられる。また、内殻２０に付加される内圧によって押されるので、シャッター７３が閉じられた状態を維持しやすい。マガジン３が搭載部２５１に挿入されると、図９に示すようにマガジン３の装填口３１の端部に押されて、シャッター７３が開かれる方向へ回動する。シャッター７３を積極的に閉じる方向に付勢するために、捩じりコイルバネや線細工バネなどを装着してもよい。
【００３３】
マガジン３がシャッター７３に接触する位置まで挿入されて、初めてシャッター７３が開かれる。つまり、シャッター７３が開かれている間は、必ずマガジンが搭載部２５１を塞いでいる。同様に、マガジン３が搭載部２５１から抜き取られる前に、シャッター７３は必ず閉じられる。このように、シール機構としてシャッター７３が設けられていることによって、マガジン３を搭載部２５１から抜脱した場合においても、内殻２０の内部は、外部に漂う粉塵から守られる。
【００３４】
マガジン３は、装填口３１と反対側の端部に、取っ手３３が設けられている。マガジン３を引き出しやすいように、取っ手３３は、図７に示すようにフェイスパネル２６よりも突出している。マガジン３を出し入れできるように構成されているので、搭載部２５１は、マガジン３が挿入されている状態でマガジン３との間にわずかながらに隙間を有している。このような隙間は、普段、給気装置６が作動していることによって、粉塵が侵入しない。情報処理装置１の主電源が落とされた場合、マガジン３と搭載部２５１の隙間から粉塵が侵入しないように、内殻２０は、図１，図３及び図７に示すように、搭載部２５１に装着されたマガジン３を装填口３１の反対側から覆う蓋２５５を含む。
【００３５】
この蓋２５５は、図１に示すようにヒンジでフェイスパネル２６に連結され、第１の隔壁２５に用意されたすべての搭載部２５１に装着されたすべてのマガジン３を一纏めに覆うように形成されている。フェイスパネル２６は、第１の隔壁２５に対してほぼ隙間なく取り付けられている。図３及び図７に示すように蓋２５５とフェイスパネル２６の間にガスケット７４を取り付けることで、マガジン３と搭載部２５１との間の隙間を塞ぐことになる。したがって、このガスケット７４もまた、内殻２０の内部と外部とを連通する経路を塞ぐシール機構に含まれる。
【００３６】
搬送機構５がマガジン３に対して光ディスクを格納するまたは取り出す動作をしている間に、不用意にマガジン３が搭載部２５１から抜脱されないように、キーで解除するロック機構２５６が蓋２５５に装備される。ロック機構２５６は、いわゆるキースイッチであり、キーで解除されると搬送機構５の動作を一時的に停止させるように、搬送機構５の制御に対して介入する。
【００３７】
情報処理装置１は、この他に電気回路８と電源９とハードディスクドライブ１０と放熱装置とを備える。電気回路８は、光ディスクドライブ４、搬送機構５、および給気装置６を作動させる制御部や、一般的なコンピュータと同様のマザーボードを含む。電源９は、電源回路のほかに、停電時に一定のシャットダウン動作に必要な電力を供給するための二次電池を装備していてもよい。ハードディスクドライブ１０は、光ディスクドライブ４で光ディスクから読み出したデータや光ディスクに書き込むためのデータを一時的に記憶するほか、アクセス頻度の高いデータを記憶するために用意されている。放熱装置は、情報処理装置１の筐体の内部で発生する熱を除去するために用意される。本実施形態では、図１に示すように光ディスクドライブ４と電気回路８と電源９とハードディスクドライブ１０とを空冷するためのファン１１１が放熱装置として各所に配置されている。
【００３８】
なお、この情報処理装置１は、アーカイブチェンジャ装置として利用される。アーカイブチェンジャ装置は、光ディスクを搬送機構５で光ディスクドライブ４にセットし、所定の情報を光ディスクドライブ４において光ディスクに記録／再生するための装置である。光ディスクの特質および長所は、情報を記録および保存することが容易であるだけでなく、記憶媒体として廉価でもあることである。したがって、アーカイブチェンジャ装置は、一般的用途として、大容量の情報を長期間保存するために利用されることが多い。
【００３９】
昨今では、医療情報、保険業務情報、金融経理情報、電子メールのエビデンス情報など様々な重要な情報を保管することに関する規則や制度が強化された。また、図書館や美術館において書物や映像を電子化した情報の提供、映像や音楽などのコンテンツの保管、個人利用の情報保管など、多岐にわたって様々なデータを保管および利用できるようにするためのシステムが求められている。このようなシステムの一部としてアーカイブチェンジャ装置が採用される機会が増えている。上述のようなシステムにアーカイブチェンジャ装置が採用される場合に求められることは、光ディスクに保管されているはずのデータが読めない、あるいは光ディスクにアーカイブしたいデータが書き込めない、といった不具合をなくすことである。
【００４０】
第１の実施形態の情報処理装置１は、上述したように構成されていることによって、光ディスクを取り扱う領域、すなわち内殻２０の内部を外部よりも粉塵が少ない清浄な状態にするとともにその状態を維持する機能を有している。したがって、光ディスクや光ディスクドライブ４の光学系をクリーニングするためのメンテナンスの回数を減らすことができる。また、マガジン３を装着する搭載部２５１に、シール機構としてシャッター７３を備えている。そのため、マガジン３を交換する際にも、粉塵が内殻２０の内部に侵入することを防止できる。さらに、内殻２０の内部に漂う粉塵の量が少ないので、搬送機構５のリフト機構５２の制御に利用される測距センサ５３の光学系にとってもよい環境である。
【００４１】
以下に、第２から第４の実施形態の情報処理装置１について説明する。第１の実施形態の情報処理装置１と同じ機能を有する構成は、各図面中において第１の実施形態の構成と同一の符号を付し、詳細な説明は、第１の実施形態の対応する記載を参酌する。また、各実施形態において、第１の実施形態と同じ構成は、第１の実施形態の図面及びその対応する記載を参酌する。
【００４２】
第２の実施形態の情報処理装置１は、図１０及び図１１を参照して説明する。図１０は、情報処理装置１の内殻２０の隔壁に設けられた複数の搭載部２５１のうち、中段の１つをその上段および下段に配置される搭載部２５１の一部とともに示す断面である。図１１は、図１０に示した搭載部２５１にマガジン３を挿入または抜脱する状態を示す。図１０及び図１１において、中央部に図示した中段の搭載部２５１に対してその上段及び下段の搭載部２５１には既にマガジン３が装着されている。
【００４３】
第２の実施形態の情報処理装置１において、シャッター７３は、上側シャッター７３１と下側シャッター７３２とで構成された両開きであって、搭載部２５１の内幅いっぱいに設置されている。上側シャッター７３１は、搭載部２５１の上壁に支持されており、下側シャッター７３２は、搭載部２５１の下壁に支持されている。上側シャッター７３１及び下側シャッター７３２はいずれも、マガジン３が挿入される方向に回動することで開かれる。下側シャッター７３２は、重力に逆らって閉じられなければならないので、捩じりコイルバネや線細工バネが装着される。シャッター７３としての動作を安定させるために、上側シャッター７３１にも捩じりコイルバネや線細工バネを装着してもよい。このシャッター７３もまた第１の実施形態の場合と同様にシール機構に含まれる。
【００４４】
上側シャッター７３１および下側シャッター７３２は、それぞれが閉じられた状態で、それぞれの回動端が互いに合わさるように構成されている。第２の実施形態では、図１０に示すように上側シャッター７３１および下側シャッター７３２がそれぞれ回動する範囲に合わせて、搭載部２５１の側壁にカム溝７３３，７３４が設けられる。上側シャッター７３１及び下側シャッター７３２の側縁に形成される突起がこのカム溝７３３に係合することで、上側シャッター７３１及び下側シャッター７３２の回動範囲が制限される。
【００４５】
図１０に示すように第２の実施形態では、上側シャッター７３１の回動半径ｒ１は、下側シャッター７３２の回動半径ｒ２よりも大きい。上側シャッター７３１及び下側シャッター７３２は、第１の実施形態のシャッター７３と同様に、搭載部２５１に装着された状態のマガジン３の装填口３１からそれぞれ回転半径ｒ１，ｒ２以上離れた位置Ｌ１，Ｌ２に支持される。このことは、図１０において、マガジン３によってそれぞれ開かれた状態の下段の搭載部２５１の上側シャッター７３１および上段の搭載部２５１の下側シャッター７３２を参照すれば明らかである。上側シャッター７３１のほうが下側シャッター７３２に比べてマガジン３の挿入方向について上流側に支持されている。つまり、上側シャッター７３１及び下側シャッター７３２は、ｒ１＞ｒ２、Ｌ１＞Ｌ２、ｒ１＜Ｌ１、ｒ２＜Ｌ２の関係を有している。
【００４６】
したがって、図１１に示すように、マガジン３を搭載部２５１へ挿入する場合、先に上側シャッター７３１が開き始め、続いて下側シャッター７３２が開く。マガジン３が上側シャッター７３１と下側シャッター７３２をそれぞれ押し開くタイミングが少しずれているので、シャッター７３を押し広げるための力が分散され、マガジン３を押し込むときの抵抗が軽減される。また、マガジン３を搭載部２５１から抜脱する場合、先に下側シャッター７３２が閉じ始め、続いて上側シャッター７３１が閉じられ、カム溝７３４によって止まっている下側シャッター７３２の先端に、上側シャッター７３１の先端が合わさる。上側シャッター７３１及び下側シャッター７３２がそれぞれ作動するタイミングが少しずれているので、上側シャッター７３１と下側シャッター７３２の端部が合わさる動作がいつも同じになる。
【００４７】
第３の実施形態の情報処理装置１は、図１２を参照して説明する。図１２は、情報処理装置１の内殻２０の隔壁に設けられた複数の搭載部２５１のうち、中段の１つの搭載部２５１をその上段および下段に配置される搭載部２５１の一部とともに示す断面図である。図１２は、搭載部２５１にマガジン３を挿入または抜脱する状態を示す。図１２において、中央部に図示した搭載部２５１の上段及び下段の搭載部２５１には既にマガジン３が装着されている。
【００４８】
図１２に示すように第３の実施形態において、シャッター７３は、マガジン３の挿入方向に２つ並べて配置されている。マガジン３の挿入方向に下流側のシャッター７３Ａは、第１の実施形態におけるシャッター７３と同じ構成であり、同じ位置に配置されている。マガジンの挿入方向に上流側のシャッター７３Ｂは、第１の実施形態におけるシャッター７３と同じ構成であり、下流側のシャッター７３Ａと干渉しない程度に離れて配置されている。マガジン３の挿入方向に搭載部２５１のストロークが十分に長ければ、上流側のシャッター７３Ｂは、搭載部２５１のマガジン挿入側に寄せて配置し、下流側のシャッター７３Ａは、内殻２０の内部に面した側に寄せて配置する。また、第２の実施形態のように両開きにシャッター７３Ａ，７３Ｂをそれぞれ構成してもよい。また、構造が複雑にならなければ、シャッター７３を２つ以上並べて配置してもよい。
【００４９】
図１２に示すように、シャッター７３を２つ並べた第３の実施形態の情報処理装置１は、シール機構が二重に設けられていることになるので、下流側に配置されるシャッター７３Ａと上流側に配置されるシャッター７３Ｂの間の搭載部２５１が粉塵に対して清浄な状態に維持されやすい。これにより、マガジン３を交換する際に下流側のシャッター７３Ａよりも上流側の搭載部２５１に入り込んだ粉塵をマガジン３で内殻２０の内部へ押し込んでしまうことを予防する。
【００５０】
上流側のシャッター７３Ｂが開かれたことを検出し、上流側のシャッター７３Ｂと下流側のシャッター７３Ａの間の搭載部２５１を粉塵の少ない清浄な気体によってフラッシングしてもよい。マガジン３に付着した粉塵なども合わせて排除されるので、内殻２０の内部が粉塵の少ない清浄な状態に維持されやすい。
【００５１】
第４の実施形態の情報処理装置は、図１３を参照して説明する。図１３は、マガジンを差し込む側から情報処理装置を見た斜視図である。図１３において、最上段の搭載部２５１のマガジン３は、抜き取られた状態である。各搭載部２５１は、第１の実施形態または第２の実施形態におけるシャッター７３をシール機構としてそれぞれ備えている。第４の実施形態の情報処理装置１において、蓋２５５は、図１３に示されたように複数の搭載部２５１のそれぞれに対応して設置される内蓋２５７を含む。図１３において最上段の搭載部２５１の内蓋２５７は、開放されている。
【００５２】
フェイスパネル２６は、内蓋２５７が嵌まり込む座部２６１を有している。内蓋２５７は、外周にパッキン７５が取り付けられている。このパッキン７５は、座部２６１の内周面と内蓋２５７の外周面との間を密封することで、第１の実施形態における蓋２５５のガスケット７４と同じ機能を発揮する。内蓋２５７は、搭載部２５１の内面に形成されたスロット２５８に案内されるスライダ２５９に対して回動可能に連結されている。内蓋２５７を開放する場合、マガジン３を抜き取る方向に沿って内蓋２５７を引き出し、図１３に示すように上方へ回動させる。この結果、搭載部２５１に対してマガジン３を挿入または抜脱する経路が確保される。
【００５３】
内蓋２５７は、第１の実施形態において蓋２５５に設けられたロック機構２５６と同様のロック機構２５６をそれぞれ有している。したがって、マガジン３を交換する場合、マガジン３に対応する内蓋２５７を開くために、個別にロック機構２５６をキーで解除しなければならない。搭載部２５１に個別に取りつけられた内蓋２５７に対してそれぞれロック機構２５６が設けられている。マガジン３を交換する際における内殻２０の密閉性が向上するとともに、マガジン３を交換することに対する情報のセキュリティーレベルも向上する。また第４の実施形態では、すべての内蓋２５７を覆うように蓋２５５が設けられている。この蓋２５５は、内蓋２５７が設けられているので、第１の実施形態のように密閉性を必要としない。蓋２５５の外周縁にはマグネットシート２５５ａが取り付けられている。蓋２５５は、マグネットシート２５５ａの磁力でフェイスパネル２６に固定される。蓋２５５にマグネットシート２５５ａを取り付ける代わりに、フェイスパネル２６側に磁石を内蔵し、蓋２５５を磁性体で形成して、接合させてもよい。
【００５４】
第１の実施形態に示した情報処理装置１において、給気装置６は、内殻２０の隔壁に開けられた入口６１からフィルタ６３を通して外気を取り込むファン６２である場合を説明した。給気装置６は、外部よりも粉塵含有率の少ない気体を内殻２０の内部に供給し、内殻２０の内部の圧力を外部の圧力よりもやや高めに維持することによって、粉塵が内殻２０に侵入することを防ぐ機能を有していればよい。
【００５５】
したがって、給気装置６は、コンプレッサと蓄圧タンクとフィルタと給気経路と減圧弁とを含む構成であってもよい。コンプレッサは、圧搾空気を出力する。蓄圧タンクは、圧搾空気を一時的に溜め、コンプレッサが作動していない場合にも、一定の圧力を維持できる十分な容積を有している。また、蓄圧タンクがあることによって、コンプレッサが作動、非作動状態に切換った時の圧力変動を緩和させる。
【００５６】
フィルタは、圧搾空気を通過させることでこの圧搾空気中の粉塵を除去する。フィルタを設置する場所は、コンプレッサの下流から情報処理装置の内殻に圧搾空気が供給されるまでの間であればどこにあってもよい。フィルタを交換する作業性を考慮すると、情報処理装置の外部に設けられているほうが扱いやすい。
【００５７】
給気経路は、フィルタを通過した圧搾空気を内殻の内部に供給する。給気経路は、内殻に十分な流量の圧搾空気を供給できるとともに、内殻２０の内部の隅々まで圧搾空気が循環するように内殻に接続されていればよい。したがって、給気経路は、１つであってもよいし、内殻２０に複数個所から圧搾空気を供給できるように複数設けられていてもよい。また、内殻２０を開放するようなメンテナンスを行った後など、フラッシングが必要な場合に使用する専用の給気経路を有していてもよい。
【００５８】
減圧弁は、給気経路の途中に設置され、内殻２０の内部圧力が外部の圧力よりもわずかに高くなるように圧搾空気の流量を調整する。減圧弁は、圧力差を基に機械的に弁が作動するので、圧力ゲージを設けなくてもよい。また、マガジン３を取り出すために蓋２５５が開放されたり、マガジン３が取り外されたりしたときに、内殻２０の内部の圧力が低下することで瞬時に作動する。
【００５９】
さらに、給気装置６は、コンプレッサおよび蓄圧タンクの代わりに、不活性ガスもしくは圧搾空気が封入されたボンベを採用してもよい。不活性ガスとして、窒素、二酸化炭素、アルゴン、ヘリウムなどを容易に利用することができる。不活性ガスや圧搾空気のボンベは、工業用に充填されたものであるので、外気に比べて粉塵や水分などはある程度少ないと考えられる。その場合は、フィルタを簡易なものにすることもできる。ボンベの中の気体を内殻２０に送気するための給気経路は、コンプレッサおよび蓄圧タンクを備える給気装置の場合と同様に、１つであってもよいし、内殻に複数個所から気体を供給できるように複数設けられていてもよい。
【００６０】
不活性ガスや圧搾空気が封入されたボンベを内殻２０に接続しておくことで、情報処理装置１の主電源が落ちた場合や、停電などによって周囲から電力を得られない場合でも、情報処理装置１の内殻２０の内部の圧力を外部の圧力よりも高く維持することができる。ボンベが供給できる気体の流量は限られる。したがって、ファン６２を備える給気装置６やコンプレッサおよび蓄圧タンクを備える給気装置６とボンベを併用してもよい。通常時にはファン６２やコンプレッサを作動させ、停電など給気装置６に電力を供給できない非常時にはボンベから清浄な気体を供給する。情報処理装置１の内殻２０の密閉性が高いほど、長期にわたる非常時をしのぐことができる。
【００６１】
本発明のいくつかの実施形態を説明したが、これらの実施形態は、例として提示したものであり、発明の範囲を限定することを意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。  
以下に、本願出願の当初の特許請求の範囲に記載された発明を付記する。
［１］  装填口を有し複数の光ディスクが格納されるマガジンと、前記光ディスクを配置するトレイによって塞がれる挿通部を有し前記光ディスクに対してデータを読み書きする光ディスクドライブと、前記マガジンと前記光ディスクドライブの間で前記光ディスクを移動させる搬送機構と、外部と内部を連通し前記マガジンが装着される搭載部、および外部と内部を連通する部分を塞ぐシール機構を有し、前記マガジンが前記搭載部に装着されている場合に少なくとも前記装填口と前記挿通部と前記搬送機構とを外部から隔離する内殻と、を備える情報処理装置。
［２］  上記［１］に記載された情報処理装置において、前記搭載部は、前記外部と前記内部を連通する前記部分に含まれ、前記シール機構は、前記搭載部を塞ぐシャッターを含む。
［３］  上記［１］に記載された情報処理装置において、前記内殻は、複数の隔壁で構成され、前記シール機構は、前記隔壁どうしの隙間を塞ぐシール部材を含む。
［４］  上記［１］に記載された情報処理装置は、前記外部よりも粉塵含有率が少ない気体を前記内殻の内部に供給する給気装置を備える。
［５］  上記［２］に記載された情報処理装置において、前記シャッターは、前記搭載部に装着された状態の前記マガジンの前記装填口からこのシャッターの回動半径以上離れた前記搭載部の内壁に支持され、前記マガジンを挿入する方向に回動することで開かれる。
［６］  上記［２］に記載された情報処理装置において、前記シャッターは、片開きである。
［７］  上記［２］に記載された情報処理装置において、前記シャッターは、両開きである。
［８］  上記［２］に記載された情報処理装置において、前記シャッターは、前記マガジンの挿入方向に少なくとも２つ並べて設置される。
［９］  上記［１］に記載された情報処理装置において、前記内殻は、前記搭載部に装着された前記マガジンを前記装填口の反対側から覆う蓋を含む。
［１０］  上記［９］に記載された情報処理装置において、前記内殻は、前記搭載部を複数有しており、前記蓋は、複数の前記搭載部に装着されたすべての前記マガジンを覆う。
［１１］  上記［９］に記載された情報処理装置において、前記内殻は、前記搭載部を複数有し、前記蓋は、複数の前記搭載部のそれぞれに設置される内蓋を含む。
［１２］  上記［４］に記載された情報処理装置において、前記給気装置は、前記内殻に開けられた入口と、前記入口から前記内殻の内部に外気を取り込むファンと、前記ファンの送気方向の上流側及び下流側の少なくとも一方に配置され前記入口から流入するすべての外気を通過させてこの外気に含まれる粉塵を除去するフィルタと、を含む。
［１３］  上記［１２］に記載された情報処理装置において、前記給気装置は、前記内殻の内部の圧力を計測するゲージを含む。
［１４］  上記［１２］に記載された情報処理装置において、前記給気装置は、前記内殻に開けられた出口と、前記出口に装着されて前記内殻の外部から内部に向かう気体の流れを遮断する逆止弁と、を含む。
［１５］  上記［４］に記載された情報処理装置において、前記給気装置は、圧搾空気を出力するコンプレッサと、前記圧搾空気を溜める蓄圧タンクと、前記圧搾空気を通過させてこの圧搾空気中の粉塵を除去するフィルタと、前記フィルタを通過した前記圧搾空気を供給する給気経路と、前記給気経路の途中に設置され前記内殻の内部の圧力が外部の圧力よりも高くなるように前記圧搾空気の流量を調整する減圧弁と、を含む。
［１６］  上記［４］に記載された情報処理装置において、前記給気装置は、不活性ガスもしくは圧搾空気が封入されたボンベと、前記ボンベの中の気体を前記内殻の内部へ送気する給気経路と、前記給気経路の途中に設置され前記内殻の内部の圧力が外部の圧力よりも高くなるように前記気体の流量を調整する減圧弁と、を含む。
【符号の説明】
【００６２】
１…情報処理装置、２…筐体、２０…内殻、２３…上部隔壁（隔壁）、２５…第１の隔壁（隔壁）、２５１…搭載部、２５５…蓋、２５７…内蓋、２７…第２の隔壁（隔壁）、２８…下部隔壁（隔壁）、２９…側部隔壁（隔壁）、３…マガジン、３１…装填口、４…光ディスクドライブ、４１…トレイ、４２…挿通部、５…搬送機構、６…給気装置、６１…入口、６２…ファン、６３…フィルタ、６４…出口、６５…逆止弁、７１…ガスケット（シール機構）、７２…熱収縮チューブ（シール機構）、７３，７３Ａ，７３Ｂ…シャッター（シール機構）、７３１…上側シャッター（シール機構）、７３２…下側シャッター（シール機構）。
【図１】
0005261561.tif 000002
【図２】
0005261561.tif 000003
【図３】
0005261561.tif 000004
【図４】
0005261561.tif 000005
【図５】
0005261561.tif 000006
【図６】
0005261561.tif 000007
【図７】
0005261561.tif 000008
【図８】
0005261561.tif 000009
【図９】
0005261561.tif 000010
【図１０】
0005261561.tif 000011
【図１１】
0005261561.tif 000012
【図１２】
0005261561.tif 000013
【図１３】
0005261561.tif 000014